(57)【要約】【課題】コモンモードノイズフィルタに関するものであり、ディファレンシャルモードのインピーダンスを低減させるものである。【解決手段】比誘電率が１０未満である積層された絶縁体層１１、１２、１３、１４、１５、１６と、この内部に並列する２本の導体１ａ、１ｂ、２ａ、２ｂ、３ａ、３ｂ、４ａ、４ｂ、５ａ、５ｂが各絶縁体層１２、１３、１４、１５のスルホールを介して二重螺旋状のコイルとなるように形成した導体１ａ、１ｂ、２ａ、２ｂ、３ａ、３ｂ、４ａ、４ｂ、５ａ、５ｂと、前記二重螺旋状のコイルの芯部に磁性体１７を設けた構成とすることにより、ディファレンシャルモードのインピーダンスを小さくすることができる。【選択図】図１
2005150137.tif 000002
【特許請求の範囲】
【請求項１】
比誘電率が１０未満である積層された絶縁体層と、この積層された絶縁体層の内部に並列する２本の導体が各絶縁体層のスルホールを介して二重螺旋状のコイルとなるように形成した導体と、前記二重螺旋状のコイルの芯部に磁性体を設けたコモンモードノイズフィルタ。
【請求項２】
第１の絶縁体層と、前記第１の絶縁体層の上面に設けられた渦巻き状のコイルの一部となる第１および第２の導体と、前記第１、第２の導体の上部に設けられたスルホールを有する所定層数の第２の絶縁体層と、前記所定層数の第２の絶縁体層の各面に設けられ前記スルホールを介して前記第１および第２の導体のそれぞれに電気的に接続された渦巻き状コイルの一部となる所定層数の第３および第４の導体と、前記所定層数の第３および第４の導体の最上部に設けられたスルホールを有する第３の絶縁体層の上面に設けられ前記スルホールを介して電気的に接続された渦巻き状コイルの一部となる第５および第６の導体と、前記第５、第６の導体の上部に設けられた第４の絶縁体層と、前記第１、第２、第５、第６の導体の端部にそれぞれ電気的に接続された外部電極とを設け、前記第１と第２の導体および前記第１および第２の導体のそれぞれに電気的に接続された渦巻き状コイルの一部となる所望層数の第３および第４の導体および第５と第６の導体の主要部を並列に配置し、さらに比誘電率が１０未満の前記第１から第４の絶縁体層を設け、前記第１から第６の導体で形成される二重螺旋状のコイルの芯部に磁性体を設けたコモンモードノイズフィルタ。
【請求項３】
各絶縁体層を非磁性とした請求項１または２に記載のコモンモードノイズフィルタ。
【請求項４】
第１の絶縁体層の下面と前記第４の絶縁体層の上面に磁性体層を設けた請求項１、２、３のいずれか一つに記載のコモンモードノイズフィルタ。
【請求項５】
第１の絶縁体層と第４の絶縁体層に磁性体を用いた請求項１、２、３のいずれか一つに記載のコモンモードノイズフィルタ。
【請求項６】
外部電極を設けていない対向する２つの端面に磁性体層を設けた請求項４に記載のコモンモードノイズフィルタ。
【発明の詳細な説明】
【技術分野】
【０００１】
本発明は、小型デジタル電子機器やＯＡ機器、携帯端末等の電気製品に広く用いられているコモンモードノイズフィルタに関するものである。
【背景技術】
【０００２】
従来、この種のコモンモードノイズフィルタは、コモンモードノイズを除去するためにコモンモードのインピーダンスを大きくし、同時に信号波形を歪ませないためにディファレンシャルモードのインピーダンスをできるだけ小さくすることが望ましく、そのために図１１、図１２に示されるような構成を有していた。
【０００３】
図１１は従来のコモンモードノイズフィルタの分解斜視図であり、図１２はその斜視図である。
【０００４】
図１１において、２１は第１の絶縁体層、２７は第１の絶縁体層２１の上面に設けられた渦巻き状の導体である第１の導体、２８は第１の絶縁体層２１の上面に設けられ第１の導体２７とほぼ並行な渦巻き状に設けられた導体である第２の導体であり、第１の導体２７と２条渦巻きの構成となっている。
【０００５】
２２は第１の導体２７及び第２の導体２８を挟むようにして第１の絶縁体層２１の上部に設けられた第２の絶縁体層、３１ａおよび３１ｂは第２の絶縁体層２２に設けられたスルホールであり内部には導電材が充填されている。２９は第２の絶縁体層２２の上面に設けられた渦巻き状の導体である第３の導体、３０は第２の絶縁体層２２の上面に設けられ第３の導体２９とほぼ並行な渦巻き状に設けられた第４の導体であり、第３の導体２９と２条渦巻きの構成となっている。第３の導体２９はスルホール３１ａを介して第１の導体２７と、第４の導体３０はスルホール３１ｂを介して第２の導体２８とそれぞれ電気的に接続している。そして、前記第３の導体２９と第４の導体３０の上面には第３の絶縁体層２３が設けられている。
【０００６】
ここで、第２の絶縁体層２２は第１の絶縁体層２１および第３の絶縁体層２３よりも低い透磁率のものを使用している。
【０００７】
図１２の従来のコモンモードノイズフィルタの斜視図において、３３は磁性体であり、３２は４個の外部電極であり、第１〜第４の導体２７、２８、２９、３０のいずれか一つとそれぞれ電気的に接続している。
【０００８】
上記に示したように従来の技術によれば、第１の導体２７〜第４の導体３０を渦巻き状とし、第１の導体２７と第２の導体２８および第３の導体２９と第４の導体３０はほぼ並行に配置されることにより、１つの絶縁体層に設けられた渦巻き状の各導体間の距離を短くでき、さらに一層あたりの磁路を渦巻き状とすることで長くでき、これにより各導体で発生し互いに影響を及ぼし合う磁界が強くなり、コモンモードのインピーダンスを大きくすることができる。加えて、スルホール３１ａ、３１ｂを有する第２の絶縁体層２２の透磁率を他の絶縁体層の透磁率以下とすることにより、第１の導体２７と第２の導体２８の導体間および第３の導体２９と第４の導体３０の導体間に低透磁率の第２の絶縁体層２２を介在させる構造となり、これらの導体で発生する磁界をより強くすることができることから効率的にコモンモードのノイズが抑制できる。
【０００９】
なお、前記各絶縁体層２１、２３および低透磁率の絶縁体層２２は図１２に示すように一体焼結されている。また前記第１の絶縁体層２１と第３の絶縁体層２３には主にＮｉ−Ｚｎ−Ｃｕフェライトを用いることができる。
【００１０】
また、この低透磁率の絶縁体層である第２の絶縁体層２２にはＮｉ−Ｚｎ−Ｃｕ−Ｃｏ系フェライトを用いることができる。
【００１１】
また、第２の絶縁体層２２に非磁性体を用いると一層の効果を得ることができ、その材料としては、ガラスセラミック、Ｚｎ−Ｃｕ系フェライトが好適である。
【００１２】
なお、この出願の発明に関する先行技術文献情報としては、例えば、特許文献１が知られている。
【特許文献１】特開２００３−３１４１６号公報
【発明の開示】
【発明が解決しようとする課題】
【００１３】
しかしながら、上記従来の構成では磁性体である第１から第３の絶縁体層２１、２２、２３の比誘電率が１０以上と比較的大きく、渦巻き状の導体２７〜３０がコモンモードノイズフィルタ内の一部分に集中しており、その導体２７〜３０に近接して比誘電率が１０以上の磁性体である第１から第３の絶縁体層２１、２２、２３があるために浮遊容量に起因してディファレンシャルモードのインピーダンスを低減させにくいという問題点を有していた。
【００１４】
本発明は上記従来の課題を解決するもので、浮遊容量の発生を抑えて、ディファレンシャルモードノイズをできるだけ小さくしたコモンモードノイズフィルタを提供することを目的とするものである。
【課題を解決するための手段】
【００１５】
上記目的を達成するために、本発明は以下の構成を有する。
【００１６】
本発明の請求項１に記載の発明は、比誘電率が１０未満である積層された絶縁体層と、この積層された絶縁体層の内部に並列する２本の導体が各絶縁体層のスルホールを介して二重螺旋状のコイルとなるように形成した導体と、前記二重螺旋状のコイルの芯部に磁性体を設けたコモンモードノイズフィルタであり、浮遊容量を抑えることによりディファレンシャルモードのインピーダンスを小さくしたコモンモードノイズフィルタを実現することができる。
【００１７】
本発明の請求項２に記載の発明は、第１の絶縁体層と、前記第１の絶縁体層の上面に設けられた渦巻き状のコイルの一部となる第１および第２の導体と、前記第１、第２の導体の上部に設けられたスルホールを有する所定層数の第２の絶縁体層と、前記所定層数の第２の絶縁体層の各面に設けられ前記スルホールを介して前記第１および第２の導体のそれぞれに電気的に接続された渦巻き状コイルの一部となる所定層数の第３および第４の導体と、前記所定層数の第３および第４の導体の最上部に設けられたスルホールを有する第３の絶縁体層の上面に設けられ前記スルホールを介して電気的に接続された渦巻き状コイルの一部となる第５および第６の導体と、前記第５、第６の導体の上部に設けられた第４の絶縁体層と、前記第１、第２、第５、第６の導体の端部にそれぞれ電気的に接続された外部電極とを設け、前記第１と第２の導体および前記第１および第２の導体のそれぞれに電気的に接続された渦巻き状コイルの一部となる所望層数の第３および第４の導体および第５と第６の導体の主要部を並列に配置し、さらに比誘電率が１０未満の前記第１から第４の絶縁体層を設け、前記第１から第６の導体で形成される二重螺旋状のコイルの芯部に磁性体を設けたコモンモードノイズフィルタであり、２ターン以上の二重螺旋状のコイルを構成したときにコイル間と層間の浮遊容量を抑えることにより、ディファレンシャルモードのインピーダンスを小さくし、コモンモードのインピーダンスを大きくできるコモンモードチョークコイルを実現することができる。
【００１８】
本発明の請求項３に記載の発明は、各絶縁体層を非磁性とした請求項１または２に記載のコモンモードのノイズフィルタであり、より高周波帯で実用できるコモンモードチョークコイルを実現することができる。
【００１９】
本発明の請求項４に記載の発明は、特に、前記第１の絶縁体層の下面と前記第６の絶縁体層の上面に磁性層を設けた構成を有しており、磁気的な結合を高めてコモンモードのインピーダンスを大きくすることができるコモンモードチョークコイルを実現することができる。
【００２０】
本発明の請求項５に記載の発明は、第１の絶縁体層と第６の絶縁体層に磁性体を用いた請求項１、２、３のいずれか一つに記載のコモンモードノイズフィルタであり、請求項３の作用に加えてコモンモードノイズフィルタの低背化を実現することができる。
【００２１】
本発明の請求項６に記載の発明は、特に、外部電極を設けていない対向する２つの端面に磁性体層を設けたコモンモードノイズフィルタであり、さらに磁気的な結合を高めてコモンモードのインピーダンスを大きくしたコモンモードノイズフィルタを実現することができる。
【発明の効果】
【００２２】
本発明のコモンモードノイズフィルタは比誘電率が１０未満である積層された絶縁体層と、二重螺旋状のコイルとなるように形成した導体と、この二重螺旋状のコイルの芯部に磁性体を設けたことにより、浮遊容量を抑えてディファレンシャルモードのインピーダンスをできるだけ小さくすることができ、信号波形を歪ませることなくコモンモードノイズを効果的に除去できるという効果を奏するものである。
【発明を実施するための最良の形態】
【００２３】
（実施の形態１）
以下、実施の形態１を用いて、本発明の特に、請求項１、２、３に記載の発明について説明する。
【００２４】
図１は本発明の実施の形態１におけるコモンモードノイズフィルタの構成を説明するための分解平面図であり、図２はこのコモンモードノイズフィルタの斜視図であり、図３は図２のＡ−Ａ部における断面図である。また図４は実施の形態１における本発明のコモンモードノイズフィルタと従来のコモンモードノイズフィルタの特性図である。
【００２５】
図１において、１ａ、１ｂは第１の絶縁体層１１の上面に設けられた二重螺旋状のコイルの一部となる第１および第２の導体であり、第２の絶縁体層１２に設けたスルホール（図示せず）を介して第３の導体２ａは第１の導体１ａと接続され、第４の導体２ｂは第２の導体１ｂと電気的に接続されている。このときの導体材料としては銀あるいは銅などの高導電率を有する材料が最適である。さらに第２の絶縁体層１２の上に形成された第３の絶縁体層１３に設けられたスルホール（図示せず）を介して第５の導体３ａは第３の導体２ａと接続され、第６の導体３ｂは第４の導体２ｂと電気的に接続され、さらに第４の絶縁体層１４に設けられたスルホール（図示せず）を介して第７の導体４ａは第５の導体３ａと接続され第８の導体４ｂは第６の導体３ｂと電気的に接続され、さらに第５の絶縁体層１５に設けられたスルホール（図示せず）を介して第９の導体５ａは第７の導体４ａと接続され第１０の導体５ｂは第８の導体４ｂと電気的に接続されている。このような構成とすることにより１ａ、２ａ、３ａ、４ａ、５ａで一つの螺旋状のコイルを形成し、１ｂ、２ｂ、３ｂ、４ｂ、５ｂで別の一つの螺旋状のコイルを形成しており、ほぼ２ターンのコイル構造を実現し、それぞれのコイルが並列に配置された二重螺旋構造のコイルパターンを形成することができる。この二つのコイル間の距離が結合度に密接に影響する。この距離を近づけると結合度が高くなり、コモンモードノイズフィルタとしての性能が高まり、距離を離していくと結合度が低くなる。しかしながら、二つのコイル間の距離を近づけていくとコイル間の浮遊容量が問題となる。この浮遊容量を低減するためには各絶縁体層の比誘電率を低く設計することが重要である。
【００２６】
次に、第５の絶縁体層１５の上に第６の絶縁体層１６を設けるとともに、さらにこのように構成された二重螺旋状のコイルの芯部に磁性体１７を設けた構造となっている。
【００２７】
ここで、図１は２ターンを基本とする二重螺旋状のコイル構成であり、このような構成とすることにより二重螺旋状のコイル間の浮遊容量を低減することができるとともにコイル層間の浮遊容量をも低減できることから大幅に浮遊容量を低減できるコモンモードノイズフィルタを実現することができる。また２ターン以上においても同様の効果を有するコモンモードノイズフィルタを得ることができる。
【００２８】
しかしながら、１ターンであっても二重螺旋状のコイル間の浮遊容量を低減することができることから、基本的には１ターンであれば本発明の効果を発揮することができる。すなわち、本発明のコモンモードノイズフィルタの基本的な構成としては、第３および第４の導体２ａ、２ｂと第９および第１０の導体５ａ、５ｂとを電気的に接続することにより１ターンの二重螺旋状のコイルを有するコモンモードノイズフィルタを形成することであり、このような構成において二重螺旋状のコイル間の浮遊容量を低減することができるコモンモードノイズフィルタを得ることができる。また、コイルの寸法形状および各絶縁体層の厚み精度もコモンモードノイズフィルタとしての性能に影響を及ぼすことからこれらの寸法形状も高精度に制御することが望ましい。これらの要因を制御することにより電気的特性を設計制御することができる。
【００２９】
次に、前記第１〜第６の各絶縁体層１１、１２、１３、１４、１５、１６は図２に示すように、一体焼結されて得られ、第１の導体１ａ、第２の導体１ｂ、第９の導体５ａ、第１０の導体５ｂから構成される二重螺旋状のコイルのそれぞれの端部は４つの外部電極３２のいずれか一つと電気的に接続されている。
【００３０】
ここで、前記第１〜第６の各絶縁体層１１、１２、１３、１４、１５、１６は比誘電率が１０未満であり、具体的にはフォルステライト系ガラス、アルミナ−ガラス系誘電体のようなガラスセラミック等を用いることができる。また第１の導体１ａから第１０の導体５ｂの融点以下で焼結が可能であればガラスセラミック以外の材質を用いることも可能である。
【００３１】
また、前記第１〜第６の各絶縁体層１１、１２、１３、１４、１５、１６にＮｉ−Ｚｎ−Ｃｕフェライトのような磁性体を用いた場合、磁性体の損失成分μ“の影響を受けてディファレンシャルモードのインピーダンスが大きくなってしまうことから非磁性体が望ましい。
【００３２】
さらに、非磁性体であってもＺｎＣｕフェライトのような比誘電率が１０以上の絶縁体を用いると、浮遊容量の影響でディファレンシャルモードのインピーダンスが大きくなってしまうことから望ましくない。
【００３３】
また、前記コイルパターンは矩形状のコイルパターンとしているが、円形状、長円形状であっても良い。
【００３４】
さらに、前記コイルパターンは一層の絶縁層につき１／２ターンを基本に螺旋構造を示しているが、他にも１／３ターンあるいは３／４ターンを基本とした螺旋構造のコイルパターンとすることも可能である。
【００３５】
このような構成を有するコモンモードノイズフィルタは、以下の製造プロセスを経て作製することができる。
【００３６】
まず、ガラスセラミックの原材料であるガラス粉末とアルミナ、フォルステライトなどを適量比で配合し、溶剤やバインダー成分と混合してセラミックスラリーを作製する。
【００３７】
次に、得られたセラミックスラリーをドクターブレード法などにより所望の厚みになるようシート成形して前記第１〜第６の各絶縁体層１１、１２、１３、１４、１５、１６に用いるセラミックグリーンシートを作製する。
【００３８】
次に、得られた前記第１〜第６の各絶縁体層１１、１２、１３、１４、１５、１６に用いるセラミックグリーンシートに、二重螺旋状のコイルを形成するための各導体１ａ、１ｂ〜５ａ、５ｂを印刷形成し、前記セラミックグリーンシートにビアを形成するために穴をあけて導体ペーストの充填を行い、それぞれの導体パターンを接続形成する。
【００３９】
このようにして導体パターンが形成された前記第１〜第６の各絶縁体層１１、１２、１３、１４、１５、１６を積層圧着してセラミックグリーンシートの積層体を作製する。
【００４０】
このようにして得られた積層体に、二重螺旋状のコイルの芯部に磁性体１７を形成するため、積層体に金型などを用いて孔をあけ、そこに磁性体ペーストを充填して本発明のコモンモードノイズフィルタの成形品を作製する。成型品を個片に切断した後、この成形品を各絶縁体層１１、１２、１３、１４、１５、１６および磁性体１７が焼結する温度以上、かつ各導体１ａ、１ｂ〜５ａ、５ｂの融点以下で一体焼成し、その後外部電極３２を形成することにより本発明のコモンモードノイズフィルタを得ることができる。
【００４１】
なお、本発明においては第３の絶縁体層１３と第４の絶縁体層１４および第５および第６の導体３ａ、３ｂと第７および第８の導体４ａ、４ｂを繰り返し積層して二重螺旋状のコイルの巻き数を増やすことにより所望するコモンモードのインピーダンスを容易に得ることができる。
【００４２】
また、前記各絶縁体層１１、１２、１３、１４、１５、１６の厚みは図３に示すようにほぼ等しいこと、すなわち二重螺旋状のコイルが上下方向に均等な間隔で構成されていることが望ましい。前記各絶縁体層１１、１２、１３、１４、１５、１６の厚みが不均一な場合、二重螺旋状のコイルの層間間隔に密の部分が生じることにより浮遊容量が増大し、ディファレンシャルモードのインピーダンスが大きくなってしまうからである。具体的には、コモンモードノイズフィルタの厚みが８００μｍで前記各絶縁体層が６層の場合、一つの絶縁体層の厚みは約１３０μｍが理想的である。さらにコモンモードのインピーダンスを増やすために巻き数を多くすれば一層あたりの厚みは薄くなるが、２０μｍより薄くなると急激にディファレンシャルモードのインピーダンスが増大することから、一層あたりの絶縁体層の厚みは２０μｍ以上であることが望ましい。
【００４３】
また、前記二重螺旋状のコイルの直流抵抗値はできる限り小さいほうが望ましいことから、具体的に第１の導体１ａから第１０の導体５ｂはＡｇまたはＣｕを用いることができる。また、前記第１と第２の導体、第３と第４の導体、第５と第６の導体、第７と第８の導体および第９と第１０の導体の間隔は狭いほど望ましい。これら導体の間隔を狭くすることによってコモンモードのインピーダンスが大きくなるからである。具体的には２０〜５０μｍ程度が実質上優れた特性を有する。一方、これらの間隔が２０μｍ未満になると浮遊容量の発生によりディファレンシャルモードのインピーダンスが急激に増大し、さらに導体材料のマイグレーション現象を誘発することから信頼性の劣化を助長することになり望ましくない。このような導体の間隔は通常の印刷法では困難であり、凹版転写、めっき工法、ディスペンサー塗布工法により実現可能である。
【００４４】
また、磁性体１７は第１から第６の絶縁体層１１、１２、１３、１４、１５、１６が積層された後に二重螺旋状のコイルの芯部に孔を設け、磁性ペーストを挿入した後に一体焼成して形成することができる。この磁性ペーストの粉体充填率が高いほうが磁性体１７として望ましく、磁性ペーストに用いる磁性体粉末の平均粒径は数μｍのサイズとし、さらに２ピークの粒度分布を有した高密度に充填できる磁性体粉末がより望ましい。また磁性体１７の透磁率は高いほど望ましく、具体的にはＮｉ−Ｚｎ−Ｃｕフェライトを用いることが望ましい。
【００４５】
また、磁性体１７の断面の形状は形成したコイル断面の形状に合わせたほうが望ましく、導体１ａから導体５ｂで形成される二重螺旋状のコイル断面形状が矩形であれば、磁性体１７の断面も矩形であることが望ましい。
【００４６】
以上説明してきたように本実施の形態１によれば、磁性体１７を二重螺旋状のコイルの芯部に設けることにより、各導体１ａ〜５ｂで発生し互いに影響を及ぼし合う磁界が強くなり、図４に示すように従来のコモンモードノイズフィルタ（従来品）と同様に本発明のコモンモードノイズフィルタ（本発明品１）においてもコモンモードのインピーダンスを大きくすることができる。このコモンモードのインピーダンスがおよそ１００Ω程度あればコモンモードのノイズの除去に効果が認められている。また本発明のコモンモードノイズフィルタのコモンモードのインピーダンスが１００Ω以上となる周波数域は従来のコモンモードノイズフィルタのそれとほぼ等しく、同等のノイズ除去能力があることがわかる。加えて、二重螺旋状のコイルがコモンモードノイズフィルタの内部を利用して形成され、かつ二重螺旋状のコイル近傍が比誘電率の低い各絶縁体層１１〜１６で覆われるため、コイルに発生する浮遊容量の影響を抑えることができることから、従来のコモンモードノイズフィルタよりもディファレンシャルモードのインピーダンスを小さくすることができる。その結果、信号波形を歪ませることなく効率的にコモンモードのノイズが抑制できるという効果が得られる。
【００４７】
（実施の形態２）
以下、実施の形態２を用いて、本発明の特に請求項４、５記載の発明について説明する。
【００４８】
図５は本発明の実施の形態２における一例のコモンモードノイズフィルタの分解平面図であり、図６は別の一例のコモンモードノイズフィルタの分解平面図である。また図７は実施の形態２におけるコモンモードノイズフィルタの斜視図であり、図８は図５に示した構成のコモンモードノイズフィルタ（本発明品２）と従来の構成のコモンモードノイズフィルタ（従来品）を比較した特性図である。なお、実施の形態１と同様の構成を有するものについては同一符号を付しその説明を省略する。
【００４９】
図５、図６、図７において、実施の形態１と相違する点は図７に示すようにコモンモードノイズフィルタの最上面と最下面に磁性体層１８が設けられ、コイルの芯部の磁性体１７と磁性体層１８が連続されている点である。
【００５０】
図５に示すように、このような構成は第１と第６の絶縁体層１１、１６にガラスセラミックの原料粉末ではなくフェライトなどの磁性体の原料粉末からなる磁性体層１８を積層することにより得ることができる。
【００５１】
また、図６に示すように別の方法として、第１から第６の各絶縁体層１１、１２、１３、１４、１５、１６を積層する際、磁性体層１８となる磁性体の原料粉末を用いた絶縁体シートを第１と第６の絶縁体層１１、１６の上下に積層した後に一体焼成して得ることによっても同じ効果を発揮することができる。
【００５２】
これらのような構成のコモンモードノイズフィルタは、図８に示すように、従来のコモンモードノイズフィルタと比べてディファレンシャルモードのインピーダンスは小さく、従来のコモンモードノイズフィルタと比較して各導体で発生し互いに影響を及ぼし合う磁界がさらに強くなるためにコモンモードのインピーダンスが大きくなり、より効率的にコモンモードのノイズが抑制できるという効果が得られるものである。
【００５３】
なお、磁性体層１８は透磁率が大きいほど望ましく、具体的にはＮｉ−Ｚｎ−Ｃｕフェライトを用いることができる。
【００５４】
（実施の形態３）
以下、実施の形態３を用いて、本発明の特に請求項６に記載の発明について説明する。
【００５５】
図９は本発明の実施の形態３におけるコモンモードノイズフィルタの斜視図であり、図１０は本発明のコモンモードノイズフィルタ（本発明品３）と従来のコモンモードノイズフィルタ（従来品）の特性比較図である。なお、実施の形態２の構成と同様の構成を有するものについては同一符号を付しその説明を省略する。
【００５６】
図９において、実施の形態２と相違する点は外部電極３２を設けていない対向する２つの端面に磁性体層１９を設け、この磁性体層１９が磁性体層１８および磁性体１７と連続している点である。
【００５７】
このような構成は、図７に示すコモンモードノイズフィルタの一体成形品もしくは一体焼成品にディッピング法などにより磁性体インクを外部電極３２を設けていない対向する２つの端面に塗布した後、前記磁性体インクが焼結する温度以上、かつ導体の融点以下の温度で再焼成して得ることができる。
【００５８】
図１０に示すように、この構成により本発明のコモンモードノイズフィルタは従来のコモンモードノイズフィルタと比較してディファレンシャルモードのインピーダンスが小さく、コモンモードノイズフィルタの側面の一部が磁性体であることから各導体で発生し互いに影響を及ぼし合う磁界がさらに強くなるためにコモンモードのインピーダンスが特に大きくなり、より効率的にコモンモードのノイズが抑制できるという効果が得られるものである。
【００５９】
なお、磁性体層１９は透磁率が大きいほど望ましく、具体的にはＮｉ−Ｚｎ−Ｃｕフェライトを用いることができる。
【産業上の利用可能性】
【００６０】
本発明にかかるコモンモードノイズフィルタは、磁性体を二重螺旋状のコイルの芯部に設けたので、浮遊容量を抑えてディファレンシャルモードのインピーダンスをできるだけ小さくすることができ、信号波形を歪ませることなくコモンモードノイズを効果的に除去できるという効果を有し、小型デジタル電子機器やＯＡ機器、携帯端末等の電機製品に広く用いられているコモンモードノイズフィルタに有用である。
【図面の簡単な説明】
【００６１】
【図１】本発明の実施の形態１におけるコモンモードノイズフィルタの分解平面図
【図２】同斜視図
【図３】同断面図
【図４】同特性比較図
【図５】本発明の実施の形態２におけるコモンモードノイズフィルタの一例を示す分解平面図
【図６】同別の一例を示す分解平面図
【図７】同斜視図
【図８】同特性比較図
【図９】本発明の実施の形態３におけるコモンモードノイズフィルタの斜視図
【図１０】同特性比較図
【図１１】従来のコモンモードノイズフィルタの分解斜視図
【図１２】従来のコモンモードノイズフィルタの斜視図
【符号の説明】
【００６２】
１ａ  第１の導体
１ｂ  第２の導体
２ａ  第３の導体
２ｂ  第４の導体
３ａ  第５の導体
３ｂ  第６の導体
４ａ  第７の導体
４ｂ  第８の導体
５ａ  第９の導体
５ｂ  第１０の導体
１１  第１の絶縁体層
１２  第２の絶縁体層
１３  第３の絶縁体層
１４  第４の絶縁体層
１５  第５の絶縁体層
１６  第６の絶縁体層
１７  磁性体
１８  磁性体層
１９  磁性体層
【図１】
2005150137.tif 000003
【図２】
2005150137.tif 000004
【図３】
2005150137.tif 000005
【図４】
2005150137.tif 000006
【図５】
2005150137.tif 000007
【図６】
2005150137.tif 000008
【図７】
2005150137.tif 000009
【図８】
2005150137.tif 000010
【図９】
2005150137.tif 000011
【図１０】
2005150137.tif 000012
【図１１】
2005150137.tif 000013
【図１２】
2005150137.tif 000014